(57)【要約】  リンクチェーン用のチェーンジョイント（１）は、丸くされたリンク部分（５，６）を介して端部でそれぞれ相互連結される２つの互いに平行な長手方向脚部（３，４）を伴った長円形鎖環の形態の本体（２）を有する。一方の長手方向脚部は、長円形鎖環を本体（２）の内側開口部（８）の中に掛けるための受入開放部（７）を形成する間断部を有し、上記受入開放部は、その両端でそれぞれ、長手方向脚部セクション（４Ａ，４Ｂ）によって境界付けられ、上記長手方向脚部（４）には、長手方向脚部の長手方向に延在するネジ穴（９）が設けられ、ネジ穴（９）は、両方の長手方向脚部セクション（４Ａ，４Ｂ）の中に延在し、ネジ穴（９）の中には、閉鎖ネジ（１０）がねじ込まれることができる。閉鎖ネジ（１０）は、ねじ込まれた状態では、両方の長手方向脚部セクション（４Ａ，４Ｂ）のネジ穴（９）と係合する。本体（２）の外周（Ａ）及びリンク幅（Ｂ）についての予め定められたサイズを維持しつつ、本体には、その長手方向脚部（３，４）の領域において、その丸くされたリンク部分（５，６）の領域での異形断面（Ｑ２）よりも大きい異形断面（Ｑ１）が与えられるということが、提供される。
2016502050.tif 000002
【特許請求の範囲】
【請求項１】
リンクチェーン用のチェーンジョイント（１）であって、湾曲したリンク部分（５，６）を介して端部でそれぞれ相互連結された２つの互いに平行な長手方向リム（３，４）を有する長円形鎖環の形態の本体（２）を備え、一方の長手方向リム（４）が、長円形鎖環を前記本体（２）の内側開口部（８）の中に掛けるための受入開放部（７）を形成する間断部を有し、前記受入開放部は、前記受入開放部（７）の両端でそれぞれ、長手方向リムセクション（４Ａ，４Ｂ）によって境界が定められ、この長手方向リム（４）には、前記長手方向リム（４）の長手方向に延在するネジ穴（９）が設けられ、前記ネジ穴（９）は、両方の前記長手方向リムセクション（４Ａ，４Ｂ）の中に延在し、前記ネジ穴（９）の中には、前記受入開放部（７）を閉じるように、閉鎖ネジ（１０）がねじ込まれることができ、前記閉鎖ネジ（１０）は、ねじ込まれた状態では、両方の前記長手方向リムセクション（４Ａ，４Ｂ）の前記ネジ穴（９）内に係合し、前記本体（２）の外周（Ａ）及びリンク幅（Ｂ）のサイズが、予め定められている、チェーンジョイントにおいて、
前記本体（２）の前記外周及び前記リンク幅についての前記予め定められたサイズを維持しつつ、前記本体（２）には、前記本体（２）の前記長手方向リム（３，４）の領域での異形断面（Ｑ１）が、前記本体（２）の前記湾曲リンク部分（５，６）の領域での異形断面（Ｑ２）よりも大きく与えられることを特徴とするチェーンジョイント。
【請求項２】
前記本体（２）は、精密鋳造によって、又は焼結によって、製造されることを特徴とする請求項１に記載のチェーンジョイント。
【請求項３】
前記本体（２）は、鍛造品として形成されることを特徴とする請求項１に記載のチェーンジョイント。
【請求項４】
前記長手方向リム（３，４）各々には、それぞれの直線的な延在部に沿って一定の異形断面（Ｑ１）が与えられることを特徴とする請求項１〜３のいずれか一項に記載のチェーンジョイント。
【請求項５】
前記長手方向リム（３，４）それぞれの異形断面（Ｑ１）は、掛けられる鎖環を受け入れるための前記本体（２）の前記内側開口部（８）に面する側で、平坦な境界面（１１）を形成し、前記平坦な境界面（１１）は、前記内側開口部（８）に対する前記本体（２）のクランプ面に対して直角をなして延在することを特徴とする請求項４に記載のチェーンジョイント。
【請求項６】
前記湾曲リンク部分（５，６）の中央領域における前記本体（２）の異形断面（Ｑ２）は、前記本体（２）の前記内側開口部（８）に向かって湾曲するかたちで延在する異形形状（１２）を有することを特徴とする請求項４または５に記載のチェーンジョイント。
【請求項７】
前記閉鎖ネジ（１０）が前記ネジ穴（９）に挿入される前記長手方向リムセクション（４Ｂ）では、前記ネジ穴（９）は、前記受入開放部（７）から前記湾曲リンク部分（６）の領域に至るまで連続するように設けられる一方、他方の前記長手方向リムセクション（４Ａ）では、前記受入開放部（７）から始まる前記ネジ穴（９）は単に、所定の長手方向領域にわたる止まり穴として設けられることを特徴とする請求項１〜６のいずれか一項に記載のチェーンジョイント。
【請求項８】
前記閉鎖ネジ（１０）は、六角穴付きボルトとして形成されることを特徴とする請求項１〜７のいずれか一項に記載のチェーンジョイント。
【請求項９】
前記閉鎖ネジ（１０）は、ネジ付きボルトとして形成されることを特徴とする請求項１〜８のいずれか一項に記載のチェーンジョイント。
【発明の詳細な説明】
【技術分野】
【０００１】
本発明は、リンクチェーン用のチェーンジョイントに関するものであり、このチェーンジョイントは、２つの長手方向リムを有する長円形の鎖環の形態の本体を備え、２つの長手方向リムが、互いに平行であり且つ湾曲したリンク部分を介してそれらの端部でそれぞれ相互連結され、一方の長手方向リムは、長円形鎖環を本体の内側開口部の中に掛けるための受入開放部を形成する間断部を有し、受入開放部は、その両側でそれぞれ、長手方向リムセクションによって境界が定められ、この長手方向リムには、その長手方向に延在するネジ穴が設けられ、ネジ穴は、両方の長手方向リムセクションの中に延在し、ネジ穴の中には、受入開放部を閉じるために、閉鎖ネジがねじ込まれることができ、閉鎖ネジは、ねじ込まれた状態では、両方の長手方向リムセクションにおいてネジ穴内に係合し、本体の外周及びリンク幅のサイズは、予め定められる。
【背景技術】
【０００２】
上述のタイプのチェーンジョイントは、これまでかなりの間、市場で供給されてきた。この既知のチェーンジョイントの本体は、長円形の鎖環の形態で設計されており、その一方の長手方向リムは、受入開放部を形成する間断部を有し、受入開放部を介して長円形鎖環が本体の内側開口部の中に掛けられることができる。受入開放部を閉じるために、長手方向リムの長手方向に延在するネジ穴が、受入開放部の両側に位置する本体の２つの長手方向リムセクションの中に導入されており、ネジ穴は、２つの長手方向リムセクションのそれぞれに存在し、ネジ穴の中には閉鎖ネジがねじ込まれることができる。閉鎖ネジは、２つの長手方向リムセクションのうちの一方においてネジ穴の中に挿入され、受入開放部を跨ぐようにねじ込むことによって案内され、その後、閉鎖ネジは、他方の長手方向リムセクションの中にねじ込まれ、このとき、閉鎖ネジにおける内側にネジがある端部領域がネジ穴の一部の中にある。
【０００３】
この既知のチェーンジョイントにおいて、本体は、一定の断面を有する丸鋼で周方向にわたって設計され、丸鋼の鎖環から比較的高いコストで製造される。その場合、チェーンジョイントの上記本体のための半加工品としての役割を果たす鎖環は、エンドレスチェーンから切り出されるが、切断された鎖環は無駄となり原料の使用量を増加させる。
【発明の概要】
【０００４】
このことから、本発明の目的は、この既知のチェーンジョイントを改善することであり、その結果、チェーンジョイントが、その予め定められた最大外寸法（すなわち、本体の外周及びリンクの幅）を維持しつつ、向上した曲げ抵抗係数と増大した引張強度とを有し、そして、チェーンジョイントが、その変更されない最大外寸法のおかげで、既知のチェーンジョイントと同じポケット型チェーンホイール上で依然として十分に走ることができるようにすることである。
【０００５】
本発明によると、このことは、冒頭で記載したタイプのチェーンジョイントにおいて、次の点で達成される。つまり、本体の外周及びリンク幅について予め定められたサイズを維持しつつ、本体には、長手方向リムの領域での異形断面が、湾曲したリンク部分の領域での異形断面よりも大きく与えられるという点である。
【０００６】
長手方向リムで拡大された断面積を伴った本発明で達成される異形断面がある結果、向上した曲げ抵抗係数が既に達成され、このとき、拡大された異形断面はまた、既知のチェーンジョイントの場合よりも大きい径を有する連結ネジを使用することも可能にする。これによって、チェーンジョイントの引張強度もまた、外寸法を変更することなく、著しく向上し、このとき、異形断面が拡大されているにもかかわらず、その最大外寸法が変更されないため、チェーンジョイントは、既知のチェーンジョイントと同じポケット型チェーンホイールの上で問題なく案内されることができる。
【０００７】
本発明によるチェーンジョイントでは、本体は、精密鋳造品若しくは焼結部品として製造されるのが特に好ましく、又は、鍛造品として製造されるのも特に好ましい。このことは、変化がある断面が本体と共に製造されることができ且つ曲げ成形によって製造できない異形断面の形成も可能であるという利点を、有している。
【０００８】
本発明によるチェーンジョイントのさらに好ましい改善点は、各長手方向リムが、その直線的な延在部に沿って、一定の異形断面を有することにもあり、この一定の異形断面には、掛けられるべき鎖環を受け入れるための本体の内側開口部に面する側で、平坦な境界面が与えられるのが特に好ましく、この平坦な境界面は、内側開口部に対する本体のクランプ面に対して直角をなして延在する。本体の長手方向リムにおける異形断面形状のこのような設計は、断面積をできる限り大きくするために特に有効である。
【０００９】
湾曲リンク部分の中央領域における本体の異形断面が、本体の内側開口部に向かって湾曲するかたちで延在する異形形状を有していると、さらに有益であり、これによって、丸鋼鎖環が中に掛けられる場合に好ましい装着比率がもたらされる。
【００１０】
本発明によるチェーンジョイントの同様に好ましい設計はまた、長手方向リムセクションのネジ穴にもあり、この長手方向リムセクションでは、閉鎖ネジが、受入開放部から湾曲リンク部分の領域に至るまで連続するように設計されるネジ穴に挿入され、その一方で、他方の長手方向リムセクションでは、受入開放部から始まるネジ穴は単に、所定の長手方向領域にわたる止まり穴として設けられる。これによって、閉鎖ネジがねじ込まれる場合、閉鎖ネジが受入開放部を覆ってしまったときに、閉鎖ネジは単に、両方の長手方向リムセクション内で確実に受け入れられるのに十分な長さにわたってねじ込まれ得るが、過度に深いねじ込みが防止されるということが、保証される。
【００１１】
本発明によるチェーンジョイントにおいて、使用される閉鎖ネジは、任意の好適なかたちで設計されることができる。しかしながら、閉鎖ネジは、六角穴付きボルトとして形成されることが特に好ましく、又は、ネジ付きボルトとして形成されることも特に好ましい。
【００１２】
本発明を通じて、課題起点を形成した既知のチェーンジョイントと比較して大きい曲げ抵抗係数を有するチェーンジョイントが、生み出され、このとき、既知のチェーンジョイントの場合よりも大きな直径を有する閉鎖ネジを使用することも可能である。さらに、本発明によるチェーンジョイントの引張強度は、最大外寸法を変更することなく、著しく向上しており、このとき、チェーンジョイントは、既知のチェーンジョイントと同じポケット型チェーンホイールの上で十分に走行可能に用いられることができる。最後に、本発明によるチェーンジョイントの製造において、その本体のための半加工品が、エンドレスチェーンから切り出された部分として形成されず、その結果、切り出される部分をはずすためにチェーンリンクが切断されるかたちでの無駄が生じることがなく、これによって、原料の使用量が減少する。
【００１３】
以下において、本発明は、例として図面を参照して、より詳細に原理上で説明される。
【図面の簡単な説明】
【００１４】
【図１】本発明によるチェーンジョイントの側面図である。
【図２】図１における切断線ＩＩ−ＩＩに沿った、図１のチェーンジョイントの断面図である。
【図３】図１における切断線ＩＩＩ−ＩＩＩに沿った、図１のチェーンジョイントの断面図である。
【図４】図１の本発明によるチェーンジョイントの本体の対角方向の斜視図である。
【図５】図１の本発明によるチェーンジョイントで使用するための閉鎖ネジの対角方向の斜視図である。
【発明を実施するための形態】
【００１５】
図１は、実質的に長円形の鎖環の形態で設計された本体２を備えたチェーンジョイント１の側面図を示している。この本体２は、互いに平行な２つの長手方向リム３，４を有しており、２つの長手方向リム３，４は、これらの端部においてそれぞれ、湾曲したリンク部分５，６を介して互いに連結されている。図示の実施形態の例では、湾曲リンク部分は、側面視で半円形に形成されている。
【００１６】
２つの長手方向リムのうちの一方、すなわち図１で上側に示す長手方向リム４には、その中央に、受入開放部７が形成されており、受入開放部７は、閉じられていないときに、長円形鎖環を、チェーンジョイント１又はその本体２で囲まれた内側開口部８の中に掛けることを可能にする。
【００１７】
図１から見られ、図１のチェーンジョイント１の本体２の対角方向の斜視図を示す図４から特に見られるように、受入開放部７は、長手方向リム４の中央に付与され、且つ、その両端のそれぞれにおいて、長手方向リムセクション４Ａ及び４Ｂのそれぞれによって長手方向で境界が定められる。
【００１８】
受入開放部７によって間断される本体２のこの長手方向リム４の長手方向において、つまり、この長手方向リム４の断面プロファイルＱ１の中心には、図１に点線で示されるネジ穴９が設けられている。
【００１９】
図５の対角方向の斜視図に実施形態の例で詳細に示されるような閉鎖ネジ１０が、２つの長手方向リムセクション４Ａ，４Ｂのうちの一方の側から、示されている図１の実施形態の例では長手方向リムセクション４Ｂの側から、ネジ穴９にねじ込まれることができるようなかたちで、ネジ穴９は与えられている。
【００２０】
閉鎖ネジ１０は、閉鎖ネジ１０がねじ込まれた場合に閉鎖ネジ１０を用いて受入開放部７を閉じることを可能にするという目的を果たすものである。なお、このとき、閉鎖ネジ１０の端部は、受入開放部７を掛け渡した後にねじ込み方向で前方に向かって位置し、そして、他方の長手方向リムセクション４Ａの中に形成され且つ長さＣにわたって延在するネジ穴９の一部の中に位置する。このネジ穴９は、止まり穴として形成されている。このようにして、閉鎖ネジ１０が長手方向リムセクション４Ａに存在するネジ穴９の一部の中にねじ込まれたとき、閉鎖ネジ１０は単に、長さＣにわたってねじ込まれることができるだけであり、このことによって、もはや、過度に深いねじ込みはできなくなる。
【００２１】
図５に見られるように、閉鎖ネジ１０は、その全長にわたって雄ネジが設けられるネジ付きボルトとして設計されており、そして、ネジ付きボルトには、ねじ込み側の端部から離れる方向に向いた端部上で、六角穴が設けられている。
【００２２】
閉鎖ネジ１０が、長手方向リム４からねじ回転させて外される（又は、受入開放部７が開いて閉鎖ネジ１０で覆われなくなるまで、少なくともねじ回転させて戻される）と、チェーンリンクが、受入開放部７を介して、チェーンジョイント１の内側にある内側開口部８の中に、湾曲した端部によって掛けられることができる。このようにされると、その後、閉鎖ネジ１０は、受入開放部７を完全に覆うまで、再びねじ込み方向に回され、そして、他方の長手方向リムセクション４Ａに付与されたネジ穴９の一部の中に、好ましくは、その軸方向の延長Ｃ全体にわたって、ねじ込まれる。
【００２３】
図２及び図３は、図１のチェーンジョイント１の断面図を示しており、すなわち、図２は、図１の切断面ＩＩ−ＩＩに相当し、図３は、図１の切断面ＩＩＩ−ＩＩＩによるものである。
【００２４】
図２及び図３から見られるように、チェーンジョイント１の本体２は、その延長全体にわたって、等しい大きさのリンク幅Ｂを有している。
【００２５】
図２に見られる長手方向リム３，４の異形断面Ｑ１は、その湾曲した異形部分５，６の中央領域における本体２の異形断面を表す断面Ｑ２よりも、大きく、実際には遥かに大きく、形成されている。
【００２６】
長手方向リム３，４の異形断面Ｑ１は、チェーンジョイント１の内側開口部８に面するその内側に、本体２のクランプ面に対して直角をなして延在する平坦な境界面１１を有している。その一方で、湾曲した異形部分５，６の領域において、その異形断面Ｑ２は、本体２の内側開口部８に向かって湾曲するかたちで延在する異形形状１２を有し、この異形形状１２は、図示の実施形態の例では、半円形の断面で形成されている。
【００２７】
チェーンジョイント１の内側に向かって湾曲して形成された異形断面Ｑ２は、その形状の観点では、曲げ加工により長円形又は湾曲形状に製造される通常の丸鋼鎖環に一致している。
【００２８】
これに対し、長手方向リム３，４の異形による断面形状Ｑ１は、通常の丸鋼鎖環の長手方向リムの断面形状から顕著に逸脱しており、長手方向リム３，４における異形断面Ｑ１の断面積は、湾曲リンク部分５，６の中央における異形断面Ｑ２と比較して遥かに大きく、これによって、チェーンジョイント１の長手方向リム３，４も図３に示すような異形断面Ｑ２を周方向にわたって用いて形成される場合よりも、大きなネジ径を有する閉鎖ネジ１０を使用することが可能となる。
【００２９】
長手方向リム３，４の領域において拡大された異形断面Ｑ１を用いることを通じて、図３に示すものにほぼ相当し且つ周方向に同一である小さな異形断面Ｑ２を用いる場合と比較して、チェーンジョイント１の曲げ抵抗係数が遥かに大きくなるという利点が得られる。それと同時に、連続して一定である小さな異形断面Ｑ２を用いる場合と比較して、本体２の外周Ａ、長さＬ、リンク高さＨ及びリンク幅Ｂを変更することなく、チェーンジョイント１の引張強度も増加する。
【００３０】
長手方向リム３，４の異形断面Ｑ１と湾曲リンク部分５，６の異形断面Ｑ２とが異なるサイズであるにもかかわらず、チェーンジョイント１の最大外寸法が、（通常の丸鋼の断面の形態で一定の異形断面Ｑ２を周方向に有する場合と比較して）変わっていないということの結果として、図示されるチェーンジョイント１は、上記の他の既知のプロファイルのものと同じポケット型チェーンホイール上で支障なく案内されることが可能であり、そして、上記ポケット型チェーンホイール上で全く正常に走る。
【００３１】
図示のチェーンジョイント１において、２つの長手方向リム３，４には、それぞれの直線的な延在領域の内側で、一定の形状及びサイズの異形断面Ｑ１が与えられている。しかしながら、上記直線的な延在領域でサイズを変えた異形断面Ｑ１も、当然用いられることもできる。しかしながら、好適に最大にされ得る一定の異形断面Ｑ１を用いることは、当然有益である。
【００３２】
図示されるチェーンジョイント１の本体２の製造は、サイズが異なる異形断面Ｑ１及びＱ２が用いられるため、もはや曲げ加工部品の形態として行われることはできない。それ故、本体２は、鍛造品として製造されるのが特に極めて好ましく、又は、精密鋳造部品若しくは焼結部品として製造されるのも特に極めて好ましい。
【図１】
2016502050.tif 000003
【図２】
2016502050.tif 000004
【図３】
2016502050.tif 000005
【図４】
2016502050.tif 000006
【図５】
2016502050.tif 000007
【国際調査報告】
2016502050.tif 000008
2016502050.tif 000009
2016502050.tif 000010
2016502050.tif 000011